(57)【要約】【課題】２次元に配列された複数の撮像素子を用いて原稿読取を行なう画像読取装置において、原稿読取の操作性を向上させる。【解決手段】読取部２の複数の画素部の中で、一部の画素部がアクティブ画素１０として発光および撮像状態とされることで、原稿Ａが存在する領域が検出される。原稿Ａが存在する領域において、原稿Ａの画像の読取りが行なわれる。原稿Ａが存在する領域の外の領域においては、原稿Ａとは異なる原稿が存在する領域が検出される。これにより、原稿Ａが存在する領域の外の領域に新たに原稿Ｂが載置されたときに、原稿Ｂが存在する領域が検出され、引き続いて原稿Ｂの画像の読取りが行なわれる。【選択図】図７
2010021830.tif 000002
【特許請求の範囲】
【請求項１】
２次元に配列された複数の画素部を用いて原稿の読取りを行なう画像読取装置であって、
前記複数の画素部のそれぞれは、前記原稿からの光を検出する光電変換部を含み、
前記複数の画素部のうち、第１の原稿が存在する領域を検出する検出手段と、
前記検出手段で検出された前記第１の原稿が存在する領域において、前記第１の原稿の画像を読取る読取手段とを備え、
前記検出手段は、前記第１の原稿が存在する領域の外の領域において、前記第１の原稿とは異なる第２の原稿が存在する領域を検出する、画像読取装置。
【請求項２】
前記検出手段は、前記複数の画素部の内、特定位置の画素部を撮像状態とし、前記特定位置における前記光電変換部の信号電荷に基づいて、前記特定位置における原稿の有無を検出する、請求項１に記載の画像読取装置。
【請求項３】
前記検出手段は、複数の特定位置の画素部を撮像状態とし、複数の特定位置での原稿の有無を検出することで、原稿の位置およびサイズを検出する、請求項１または２に記載の画像読取装置。
【請求項４】
前記第１の原稿が存在する領域を検出した後、前記第１の原稿が存在する領域の信号電荷の読出しと、前記検出手段で検出された前記第１の原稿が存在する領域の外の領域における原稿検出のための信号電荷の読出しとを交互に行なう、請求項１から３のいずれかに記載の画像読取装置。
【請求項５】
前記第１の原稿の読取りおよび前記第２の原稿の検出を並行して行なう、請求項１から４のいずれかに記載の画像読取装置。
【請求項６】
原稿が存在する領域を検出した後に、その領域の外縁部の画素部を点灯させる、請求項１から５のいずれかに記載の画像読取装置。
【請求項７】
前記複数の画素部のそれぞれは、前記原稿を照射する光源部をさらに備える、請求項１から６のいずれかに記載の画像読取装置。
【請求項８】
前記光源部は、エレクトロルミネッセンス素子を含み、画素毎に配置された薄膜トランジスタにより、その発光が制御される、請求項７に記載の画像読取装置。
【請求項９】
前記光源部は、白色バックライト光源とカラーフィルタと液晶パネルとを含み、画素毎に配置された薄膜トランジスタにより、その発光が制御される、請求項７に記載の画像読取装置。
【請求項１０】
２次元に配列された複数の画素部を用いて原稿の読取りを行なう画像読取装置の制御方法であって、
前記複数の画素部のそれぞれは、前記原稿からの光を検出する光電変換部を含み、
前記複数の画素部のうち、第１の原稿が存在する領域を検出する第１の検出ステップと、
前記第１の検出ステップで検出された前記第１の原稿が存在する領域において、前記第１の原稿の画像を読取る読取ステップと、
前記第１の検出ステップで検出された前記第１の原稿が存在する領域の外の領域において、前記第１の原稿とは異なる第２の原稿が存在する領域を検出する第２の検出ステップとを備えた、画像読取装置の制御方法。
【請求項１１】
２次元に配列された複数の画素部を用いて原稿の読取りを行なう画像読取装置の制御プログラムであって、
前記複数の画素部のそれぞれは、前記原稿からの光を検出する光電変換部を含み、
前記複数の画素部のうち、第１の原稿が存在する領域を検出する第１の検出ステップと、
前記第１の検出ステップで検出された前記第１の原稿が存在する領域において、前記第１の原稿の画像を読取る読取ステップと、
前記第１の検出ステップで検出された前記第１の原稿が存在する領域の外の領域において、前記第１の原稿とは異なる第２の原稿が存在する領域を検出する第２の検出ステップとを備えた、画像読取装置の制御プログラム。
【発明の詳細な説明】
【技術分野】
【０００１】
この発明は画像読取装置、画像読取装置の制御方法、および画像読取装置の制御プログラムに関し、特に、２次元の画像を読取ることができる画像読取装置、画像読取装置の制御方法、および画像読取装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るスキャナ（画像読取装置の一例）が備えられている。
【０００３】
スキャナの構造としては、１次元に配列された複数の撮像素子を機械的に走査させることで、２次元の画像を取得するものが一般的である。また、メカ移動機構の無い２次元の密着型エリアセンサを用いて、省スペース且つ短時間で画像読取りを行なうスキャナが提案されている。このようなスキャナは、縦横に複数の画素を配置することで２次元の読取りを行なうものである。１画素のエリアは、発光エリアと受光エリアとに分割される。発光エリアの素子が発光し、原稿からの反射光を受光エリアの素子（光電変換部）が受光することでその画素における画像データの取得が行なわれる。
【０００４】
このような装置では、機械的な走査が不要であるため、走査に関わる不安定性や耐久劣化、騒音等の問題がなくなると共に、装置の小型化が可能である。従って、これら装置は新たな原稿読取装置として注目されている。
【０００５】
１次元センサの走査を行なうスキャナでは、原稿サイズ検出用のセンサによる検出信号や、１次元センサで読取った検出信号を用いることで、原稿サイズ検出を行なっている。
【０００６】
２次元の密着型エリアセンサを用いたスキャナでは、原稿画像読取用の２次元センサ部で原稿情報を読取り、その情報に基づいて原稿のサイズを判定することが考えられる。
【０００７】
下記特許文献１には、エリアセンサが有する画素に、光源としてのＥＬ（エレクトロルミネッセンス）素子と光電変換素子としてのフォトダイオードとを備えさせ、ＥＬ素子とフォトダイオードの動作をＴＦＴ（薄膜トランジスタ）で制御する密着型エリアセンサが記載されている。
【０００８】
下記特許文献２には、液晶を挟持する一対の透明電極により画像表示部を構成し、透明電極の外面に、光を受けてそれを電気信号に変換する受光層を備えた画像入出力装置が記載されている。
【特許文献１】特開２００１−２９２２７６号公報
【特許文献２】特開平５−３２３２７５号公報
【発明の開示】
【発明が解決しようとする課題】
【０００９】
実使用上の面で原稿画像読取用の２次元センサは、その読取画素数の多さにより、一度に全面の画像を読取った場合、全画素分の信号電荷を処理するまでに時間がかかる。その間はユーザを待たせることになり、操作性が悪いという問題がある。例えば、Ａ３原稿の６００ｄｐｉでの読取りであれば７５００万画素、１２００ｄｐｉの読取りであれば３億画素の処理が必要である。
【００１０】
この発明はそのような問題点を解決するためになされたものであり、２次元に配列された複数の画素部を用いて原稿読取を行なう画像読取装置において、原稿読取の操作性を向上させることができる画像読取装置、画像読取装置の制御方法、および画像読取装置の制御プログラムを提供することを目的としている。
【課題を解決するための手段】
【００１１】
上記目的を達成するためこの発明のある局面に従うと、画像読取装置は、２次元に配列された複数の画素部を用いて原稿の読取りを行なう画像読取装置であって、複数の画素部のそれぞれは、原稿からの光を検出する光電変換部を含み、複数の画素部のうち、第１の原稿が存在する領域を検出する検出手段と、検出手段で検出された第１の原稿が存在する領域において、第１の原稿の画像を読取る読取手段とを備え、検出手段は、第１の原稿が存在する領域の外の領域において、第１の原稿とは異なる第２の原稿が存在する領域を検出する。
【００１２】
好ましくは検出手段は、複数の画素部の内、特定位置の画素部を撮像状態とし、特定位置における光電変換部の信号電荷に基づいて、特定位置における原稿の有無を検出する。
【００１３】
好ましくは検出手段は、複数の特定位置の画素部を撮像状態とし、複数の特定位置での原稿の有無を検出することで、原稿の位置およびサイズを検出する。
【００１４】
好ましくは画像読取装置は、第１の原稿が存在する領域を検出した後、第１の原稿が存在する領域の信号電荷の読出しと、検出手段で検出された第１の原稿が存在する領域の外の領域における原稿検出のための信号電荷の読出しとを交互に行なう。
【００１５】
好ましくは画像読取装置は、第１の原稿の読取りおよび第２の原稿の検出を並行して行なう。
【００１６】
好ましくは画像読取装置は、原稿が存在する領域を検出した後に、その領域の外縁部の画素部を点灯させる。
【００１７】
好ましくは複数の画素部のそれぞれは、原稿を照射する光源部をさらに備える。
【００１８】
好ましくは光源部は、エレクトロルミネッセンス素子を含み、画素毎に配置された薄膜トランジスタにより、その発光が制御される。
【００１９】
好ましくは光源部は、白色バックライト光源とカラーフィルタと液晶パネルとを含み、画素毎に配置された薄膜トランジスタにより、その発光が制御される。
【００２０】
この発明の他の局面に従うと画像読取装置の制御方法は、２次元に配列された複数の画素部を用いて原稿の読取りを行なう画像読取装置の制御方法であって、複数の画素部のそれぞれは、原稿からの光を検出する光電変換部を含み、複数の画素部のうち、第１の原稿が存在する領域を検出する第１の検出ステップと、第１の検出ステップで検出された第１の原稿が存在する領域において、第１の原稿の画像を読取る読取ステップと、第１の検出ステップで検出された第１の原稿が存在する領域の外の領域において、第１の原稿とは異なる第２の原稿が存在する領域を検出する第２の検出ステップとを備える。
【００２１】
この発明のさらに他の局面に従うと画像読取装置の制御プログラムは、２次元に配列された複数の画素部を用いて原稿の読取りを行なう画像読取装置の制御プログラムであって、複数の画素部のそれぞれは、原稿からの光を検出する光電変換部を含み、複数の画素部のうち、第１の原稿が存在する領域を検出する第１の検出ステップと、第１の検出ステップで検出された第１の原稿が存在する領域において、第１の原稿の画像を読取る読取ステップと、第１の検出ステップで検出された第１の原稿が存在する領域の外の領域において、第１の原稿とは異なる第２の原稿が存在する領域を検出する第２の検出ステップとを備える。
【発明の効果】
【００２２】
これらの発明に従うと、２次元に配列された複数の画素部を用いて原稿読取を行なう画像読取装置において、原稿読取の操作性を向上させることができる画像読取装置、画像読取装置の制御方法、および画像読取装置の制御プログラムを提供することが可能となる。
【発明を実施するための最良の形態】
【００２３】
以下、本発明の実施の形態における、画像読取装置について説明する。画像読取装置は、２次元に配列された複数の撮像素子を供える。画像読取装置は、等倍結像（センサ（撮像素子）自体の解像度と原稿自体の読取解像度とが等しい）の光源切替え方式（光源をＲ（赤）→Ｇ（緑）→Ｂ（青）の順で切替えることによりカラー画像を得る方式）を採用する。すなわち画像読取装置は、原稿の画像情報をエリアタイプのイメージセンサ部で読取り、光電変換、画像処理を行なう密着型２次元画像読取装置である。
【００２４】
画像読取装置は、発光層と、その発光輝度や発光タイミングをコントロールする発光制御部と、載置された原稿の反射光を検出する光電変換層と、光電変換層で発生した信号電荷を画像データ（画像信号）に変換し、処理する画像信号制御部とを備える。
【００２５】
撮像素子としてはフォトダイオードが用いられる。１画素は、ＥＬ素子とフォトダイオードと薄膜トランジスタとで構成される。光源はＥＬ素子でなくともよい。
【００２６】
図１は、本発明の実施の形態の１つにおける画像読取装置の外観を示す斜視図である。
【００２７】
図を参照して、画像読取装置１は、２次元に配列された複数の撮像素子を含む読取部２を備える。
【００２８】
図２は、画像読取装置の平面図である。
【００２９】
読取部２は、複数の画素部３で構成される。１つの画素部３は、光源部４とセンサ部５とで構成されている。光源部は、ＲＥＤ光源、ＧＲＥＥＮ光源、およびＢＬＵＥ光源を含む（それぞれを異なるハッチングで示す）。
【００３０】
図３は、読取部２の断面構成の概略を示す図である。
【００３１】
読取部２は、光源／センサ層８を、電源供給および制御用のＩＴＯ（酸化インジウム錫）層７および基板９で挟み込むように構成される。
【００３２】
画像読取時、点灯対象画素の光源／センサ層８の光源部４に電源が供給され、その画素が点灯する。発生した光は、透明のＩＴＯ層７を透過し、ＩＴＯ層７の上面に載置された原稿６に照射される。これにより、原稿の濃度に応じた反射光が発生する。
【００３３】
読取対象画素のセンサ部５は、原稿からの反射光を受光し、光電変換により反射光に応じた電圧を発生させる。各画素で発生した電圧が検出され、画像処理部で原稿の２次元画像が再構成される。
【００３４】
各画素部３の光源部４で、赤色、青色、緑色の３色が順次個別に点灯し、各色の光の点灯時にセンサ部５で発生する電圧を検出することにより、カラー読取りも可能である。
【００３５】
光源の点灯については、読取対象画素に対し、読取対象画素の光源のみ点灯させてもよいし、隣接する画素の光源も点灯させてもよいし、全画素の光源を点灯させてもよい。
【００３６】
図４は、画像読取装置の回路構成を示すブロック図である。
【００３７】
読取部２には、縦横に複数の画素部３が設けられる。列方向駆動回路１２５と、行方向駆動回路１２７とによりＸ，Ｙ方向のどの画素を発光させるか、Ｘ，Ｙ方向のどの画素で画像の読取を行なうか、Ｘ，Ｙ方向のどの画素を発光も読取りも行なわない待機状態とさせるかが制御される。列方向駆動回路１２５および行方向駆動回路１２７は、画素部３の光電変換層で発生した信号電荷を画像信号として処理する画像信号制御部の機能を備える。
【００３８】
各画素部には、薄膜トランジスタが配置され、これにより発光が制御される。
【００３９】
列方向駆動回路１２５および行方向駆動回路１２７のそれぞれは、駆動回路１２３に接続され、ＣＰＵ１２１により駆動される。すなわち外部からの読取命令に従って読取部２は読取動作を開始し、それにより得られた読取りデータはＣＰＵ１２１を介して出力される。
【００４０】
図５は、画像読取装置の信号処理部の機能構成を示すブロック図である。
【００４１】
画像読取装置の信号処理部は、読取部２に電源を供給する電源部１１と、読取部２の制御を行なう制御部１２とを備える。制御部１２は、読取部２のコントロールを行なうコントロール部１３と、原稿サイズ検出部１４と、画像処理部１５とを備える。
【００４２】
通常の原稿読取時に、読取部２で読取られた画像は画像処理部１５で画像データに変換される。原稿サイズ検出時には、読取部２で読取られた画像はコントロール部１３を経由し、原稿サイズ検出部１４に入力される。原稿サイズ検出部１４で原稿サイズ領域が確定される。
【００４３】
画像処理部１５では、シェーディング補正、エッジ強調などの処理が行なわれる。原稿サイズ検出部１４ではこのような処理を行なわないことで、高速に原稿サイズの確定を行なうことができる。
【００４４】
また、制御部１２にはユーザからの原稿読取の指示を受付ける読取指示部２１が接続されている。読取指示部２１は、装置に設けられたタッチパネルや操作パネルのボタンにより構成される。読取指示部２１がボタンである場合、そのボタンが押下されることで、読取部２の原稿検知エリア内の原稿の画像が読取られる。
【００４５】
図６は、読取部の原稿サイズ検出状態を説明するための図である。
【００４６】
原稿サイズ検出は、原稿画像の読取りの前に実行される。読取部２の複数の画素部の中で、一部の画素部がアクティブ画素１０として発光および撮像状態とされる。ここでは、アクティブ画素１０は、縦横方向それぞれ所定間隔ずつ間をあけた縦横複数に並ぶ画素部である。アクティブ画素１０の配列は任意でよい。
【００４７】
アクティブ画素１０は、その位置における原稿の有無を検出するのに必要な輝度で発光する。これは、原稿画像の読取り時よりも低い（暗い）輝度である。原稿の有無を検出するだけであれば、原稿画像の読取り時ほどの光量は必要とされないからである。
【００４８】
原稿サイズ検出により、原稿のサイズと、載置された位置とが検出される。
【００４９】
図７〜１０は、複数枚の原稿画像を連続して読取る手順について説明するための図である。
【００５０】
読取部２では、図６に示すように特定位置の画素がアクティブ画素１０として発光・撮像状態になっている。その状態において、図７に示されるように１枚目の原稿（原稿Ａ）が読取部２の左側に載置された場合を想定する。このとき、アクティブ画素の一部（原稿Ａの下にあるアクティブ画素）の信号電荷が変化する。
【００５１】
センサ出力の変動した画素と変動のない画素との分布から、図５の原稿サイズ検出部１４は原稿Ａのエッジ部を特定する。特定後、原稿サイズを検知したことをユーザに知らしめるため、コントロール部１３の制御にて、図８に示すように原稿Ａのエッジ部の外側周囲の画素１６を原稿検知領域表示用の色（例えばオレンジ色）で点灯させる。これによりユーザは、原稿が検出された領域を確認することができる。
【００５２】
ユーザは、原稿検知領域を確認した後、読取指示部２１によりコピー／スキャン指示を出す。これによりコントロール部１３は、図９に示すように原稿エッジ検出領域内の画像データ読取動作に入る。原稿Ａの外側周囲の画素１７は、原稿読取領域用の色で点灯する。原稿Ａの存在する位置のみ（またはさらに原稿の外側周囲の画素１７が存在する位置まで）が原稿読取領域となる。
【００５３】
原稿読取領域外の読取部では、特定位置の画素がアクティブ状態の画素１０となり、原稿サイズの検出が可能な状態になる。この状態でユーザは、原稿Ａを取り除かないまま、次に読取りを行ないたい原稿Ｂを読取部２上の原稿Ａが存在しない領域に載置する。
【００５４】
すると、原稿Ａの読取中であっても、アクティブ画素の一部（原稿Ｂの下にあるアクティブ画素）の信号電荷が変化する。センサ出力の変動した画素と変動のない画素との分布から、図５の原稿サイズ検出部１４は原稿Ｂのエッジ部を特定する。特定後、原稿サイズを検知したことをユーザに知らしめるため、コントロール部１３の制御にて、図１０に示すように原稿Ｂのエッジ部の外側周囲の画素１６を原稿検知領域表示用の色（例えばオレンジ色）で点灯させる。
【００５５】
ユーザは、原稿検知領域を確認した後、読取指示部２１によりコピー／スキャン指示を出す。これによりコントロール部１３は、原稿Ｂのエッジ検出領域内の画像データ読取動作に入る（これは、原稿Ａの読取りが完了した後でもよい）。すなわち、原稿Ｂの外側周囲の画素は、原稿読取領域用の色で点灯する。原稿Ｂの存在する位置のみ（またはさらに原稿の外側周囲の画素が存在する位置まで）が原稿読取領域となる。この間にユーザは、読取りが終了した原稿Ａを取り除くこととなる。原稿Ａを取り除くことで、原稿Ａの下の所定の位置の画素はアクティブ画素となる。
【００５６】
図１１は、制御部１２が実行する画像読取り処理を示すフローチャートである。
【００５７】
ステップＳ１０１において、原稿が載置されていない状態で、読取部２の特定位置の画素がアクティブ画素として点灯され、撮像状態となる。
【００５８】
ステップＳ１０３において、アクティブ画素の信号電荷の変動を検出する。ステップＳ１０５において、センサ出力変動画素と未変動画素との分布から、原稿エッジ位置が特定される。これにより、原稿が存在する領域と存在しない領域とが判定される。なおここでは原稿が載置されていない状態と、載置された状態とでの画素の信号電荷の変動から原稿領域を検出することとしたが、ステップＳ１０１を実行する以前に原稿が載置されている場合にもその原稿領域を検出することとしてもよい。
【００５９】
またステップＳ１０５において、原稿エッジ部の外側の周囲を原稿検知領域としてユーザに示すため、点灯表示状態とする。
【００６０】
ステップＳ１０７において、ユーザが原稿検知領域を確認し、ユーザがコピー（またはスキャン）の指示をしたかを判定する。ＹＥＳであればステップＳ１０９へ進み、ＮＯであればステップＳ１０３へ戻り、原稿領域の検出と原稿検知領域の表示とを繰り返し行なう。
【００６１】
ステップＳ１０９において、原稿検知領域を原稿読取領域として、少なくともその外周部の点灯色を変更する。原稿読取後は、原稿検知領域を再度アクティブ画素の点灯・撮像状態とする。
【００６２】
なお、ステップＳ１０３〜Ｓ１０９において、原稿読取領域の外は、原稿検出用のアクティブ画素の点灯・撮像状態となる。
【００６３】
図１２は、読取部２からの信号電荷を読み出す制御を示すタイミングチャートである。
【００６４】
図１２の（Ａ）は、第１の原稿領域（図１０では原稿Ａの領域）の画像データの読取りを行なうタイミングを示す。図１２の（Ｂ）は、第１の原稿領域の画像データの読出しを行なうタイミングを示す。図１２の（Ｃ）は、第１の原稿領域の外の原稿のサイズ・位置検出を行なうために第１の原稿領域の外の領域でアクティブ画素の信号読出しを行なうタイミングを示す。タイミングチャートにおいて、信号が「Ｈ」である期間に、それぞれ読取りや読出しが行なわれる。信号が「Ｌ」である期間には、それぞれの読取りや読出しの動作は停止する。
【００６５】
画素部３のセンサ部５で光電変換された信号電荷を読み出す制御は、コントロール部１３にて行なわれる。第１の原稿領域（図１０では原稿Ａの領域）の画像データの読取りと、第１の原稿領域の外の原稿（図１０では原稿Ｂ）のサイズ・位置検出を両立させるため、図１２のタイミングチャートに示すように、第１の原稿画像データの信号電荷読出し中において、所定時間毎に原稿サイズ検出用のアクティブ画素の信号電荷読出しの割込み制御が行なわれる。
【００６６】
より詳しくは、図１２（Ａ）で示されるように、第１の原稿領域の画像データの読取りが行なわれるタイミング（時刻Ｔ１〜Ｔ３）に合わせて、その読取りを行ないながら、図１２（Ｂ）で示されるように画像信号の読出し（時刻Ｔ２〜Ｔ４）が行なわれる。
【００６７】
この画像信号の読出しの間に所定の周期で、読出し動作は一定時間停止し、その停止の間に図１２（Ｃ）に示すようにアクティブ画素における信号の読出し（第１の原稿領域の外での原稿位置およびサイズ検出）が行なわれる。すなわち、間欠的に画像読出し動作の停止およびアクティブ画素の信号読出しが並行して実行される。
【００６８】
このようにして、第１の原稿領域外のアクティブエリアに第２の原稿が載置されると、その後は第１の原稿と同様の手順で、第２の原稿のサイズ検出および読取りを実施することができる。
【００６９】
［変形例］
【００７０】
上記の実施の形態では、読取部２に原稿が載置されてそのサイズが検出されたときに、原稿の周囲を光らせることで原稿が認識されたことをユーザに示すこととした（図８に示すように原稿Ａのエッジ部の外側周囲の画素１６を原稿検知領域表示用の色で点灯させることとした）が、この処理は省略してもよい。
【００７１】
また、読取指示部２１によりコピー／スキャン指示が出されたことにより画像データ読取動作に入ることとしたが、コピー／スキャン指示がない場合でも（またはコピー／スキャン指示を受付けずに）所定時間が経過すると、画像データ読取動作に入ることとしてもよい。原稿の位置およびサイズが検出されると、自動的にその読取りを行なうものである。
【００７２】
なお、特定位置の画素を撮像状態にして原稿サイズの検出を行ない、原稿領域のみの画像情報を読取る手法としては、画素部で発生した信号電荷をスイッチングによって電圧データとして検出する、いわゆるＣＭＯＳタイプの信号処理が有効である。
【００７３】
［実施の形態における効果］
【００７４】
以上の構成により、複数の画素を有する密着型２次元画像読取装置において、読取り可能なエリアにおいて部分的に（全エリアの一部のみを用いて）原稿の画像情報の読取りを行なうことができる。読取り中のエリア以外の領域は、次の原稿画像読取りのための準備領域とされる。準備領域では、原稿の位置およびサイズの検出が行なわれる。
【００７５】
これにより原稿の読取りの完了後に、すぐに次原稿の読取りを行なうごとができ、読取り時のユーザの待ち時間を短縮することができる。
【００７６】
さらに、載置された原稿の有無およびサイズを検出するため、特定位置の画素が発光・撮像状態にされ、その画素の検出信号情報が用いられる。特定位置の画素のみを発光・撮像状態にすることで、エネルギーロスを抑制し、サイズ確定までにかかる時間を短縮し、また、ユーザにまぶしい思いをさせないという効果がある。
【００７７】
また、検出された原稿の範囲のみを撮像することで、不要な画素部での発光や読取りをする必要がなくなり、無駄な電力を削減することができるという効果がある。
【００７８】
また、原稿検出用の光源輝度を原稿画像読取時とは異なり、原稿検出が可能なレベルに変更する（光量を落とす）と、無駄な電力を削減することができるという効果がある。
【００７９】
［その他］
【００８０】
なお、画素部の光源としては、エレクトロルミネッセンス素子を用い、画素毎に配置した薄膜トランジスタによりその発光を制御してもよいし、白色バックライト光源とカラーフィルタと液晶パネルを用い、画素毎に配置した薄膜トランジスタによりその発光を制御してもよい。すなわち、液晶表示装置に複数の読取素子を備えたタイプの画像読取装置にも本発明を適用することができる。
【００８１】
画像読取装置は、モノクロ／カラーの複写機、プリンタ、ファクシミリ装置やこれらの複合機（ＭＦＰ）などの画像形成装置に設けられてもよい。
【００８２】
上述の実施の形態における処理は、ソフトウエアによって行なっても、ハードウエア回路を用いて行なってもよい。
【００８３】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８４】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本発明の第１の実施の形態における画像読取装置の外観を示す斜視図である。
【図２】画像読取装置の平面図である。
【図３】読取部２の断面構成の概略を示す図である。
【図４】画像読取装置の回路構成を示すブロック図である。
【図５】画像読取装置の信号処理部の機能構成を示すブロック図である。
【図６】読取部の原稿サイズ検出状態を説明するための図である。
【図７】複数枚の原稿画像を連続して読取る手順について説明するための第１の図である
【図８】複数枚の原稿画像を連続して読取る手順について説明するための第２の図である
【図９】複数枚の原稿画像を連続して読取る手順について説明するための第３の図である
【図１０】複数枚の原稿画像を連続して読取る手順について説明するための第４の図である
【図１１】制御部１２が実行する画像読取り処理を示すフローチャートである。
【図１２】読取部２からの信号電荷を読み出す制御を示すタイミングチャートである。
【符号の説明】
【００８６】
１  ２次元画像読取装置
２  読取部
３  画素部
４  光源部
５  センサ部
６  原稿
７  ＩＴＯ層
８  光源／センサ層
９  基板
１０  アクティブ画素（発光・撮像状態画素）
１１  電源部
１２  制御部
１３  コントロール部
１４  原稿サイズ検出部
１５  画像処理部
１６  原稿検知表示
１７  原稿読取表示
２１  読取指示部
【図１】
2010021830.tif 000003
【図２】
2010021830.tif 000004
【図３】
2010021830.tif 000005
【図４】
2010021830.tif 000006
【図５】
2010021830.tif 000007
【図６】
2010021830.tif 000008
【図７】
2010021830.tif 000009
【図８】
2010021830.tif 000010
【図９】
2010021830.tif 000011
【図１０】
2010021830.tif 000012
【図１１】
2010021830.tif 000013
【図１２】
2010021830.tif 000014